(57)【要約】【課題】入力装置及び内部部品を保護するために、衝突や衝撃力を吸収できるバッファを備える携帯端末機を提供する。【解決手段】バッファを備える携帯端末機は、外表面を有する筐体と、少なくとも一部分が前記筐体の外表面から上方に突出する入力装置と、前記入力装置を外力から保護するバッファとを含み、前記バッファは、前記携帯端末機内でプリント基板に連結されるか、前記携帯端末機のカバーに連結されるか、又は前記携帯端末機のカバーを構成するように形成される。【選択図】図２Ａ
2008131634.tif 000002
【特許請求の範囲】
【請求項１】
外表面を有する筐体と、
少なくとも一部分が前記筐体の外表面から上方に突出する入力装置と、
前記入力装置を外力から保護するバッファと
を含むことを特徴とするバッファを備える携帯端末機。
【請求項２】
前記バッファは、
内部に孔を有する胴部と、
前記胴部の一側から延び、前記バッファを前記携帯端末機のプリント基板に連結するための固定孔を内部に有する少なくとも１つの連結アームと、
前記携帯端末機の入力装置の一部分に接触するように構成される加圧部と
を含むことを特徴とする請求項１に記載のバッファを備える携帯端末機。
【請求項３】
前記バッファが、前記携帯端末機の筐体の外表面から上方に突出する１対の突出部をさらに含むことを特徴とする請求項２に記載のバッファを備える携帯端末機。
【請求項４】
前記突出部の前記外表面から上方に突出する長さは、前記入力装置の前記外表面から上方に突出する長さよりも長いことを特徴とする請求項３に記載のバッファを備える携帯端末機。
【請求項５】
前記１対の突出部が、前記入力装置の各端部にそれぞれ位置することを特徴とする請求項４に記載のバッファを備える携帯端末機。
【請求項６】
前記バッファは、
内部に孔を有する胴部と、
前記胴部の一側から延び、前記バッファを前記携帯端末機の筐体に形成されたカバーに連結するための固定孔を内部に有する少なくとも１つの連結アームと、
前記携帯端末機の入力装置の一部分に接触するように構成される加圧部と
を含むことを特徴とする請求項１に記載のバッファを備える携帯端末機。
【請求項７】
前記バッファが、前記携帯端末機の筐体の外表面から上方に突出する１対の突出部をさらに含むことを特徴とする請求項６に記載のバッファを備える携帯端末機。
【請求項８】
前記突出部の前記外表面から上方に突出する長さは、前記入力装置の前記外表面から上方に突出する長さよりも長いことを特徴とする請求項７に記載のバッファを備える携帯端末機。
【請求項９】
前記１対の突出部が、前記入力装置の各端部にそれぞれ位置することを特徴とする請求項８に記載のバッファを備える携帯端末機。
【請求項１０】
前記バッファは、
内部に孔を有して前記携帯端末機の蓋体の役割を果たす胴部と、
前記胴部から突出する１対の突出部と
を含むことを特徴とする請求項２に記載のバッファを備える携帯端末機。
【請求項１１】
前記突出部の前記外表面から上方に突出する長さは、前記入力装置の前記外表面から上方に突出する長さよりも長いことを特徴とする請求項１０に記載のバッファを備える携帯端末機。
【請求項１２】
前記１対の突出部が、前記入力装置の各端部にそれぞれ位置することを特徴とする請求項１１に記載のバッファを備える携帯端末機。
【請求項１３】
前記入力装置の下に位置する複数のスイッチをさらに含み、前記バッファが前記複数のスイッチを外力から保護することを特徴とする請求項１に記載のバッファを備える携帯端末機。
【発明の詳細な説明】
【技術分野】
【０００１】
本発明は携帯端末機に関し、特に、外力から入力装置を保護することのできるバッファを備える携帯端末機に関する。
【背景技術】
【０００２】
一般的に、携帯端末機とは、ユーザが携帯して無線通信により画像、音声、及びテキストメッセージなどの多様な情報を送受信したり、特定サーバとの接続により多様なサービスを受信するための携帯電話やＰＤＡなどの機器をいう。
【０００３】
携帯端末機（特に、携帯電話）は、消費者の要求と技術の開発によって、初期のストレート型からフリップ型、折り畳み型、及びスライド型に発展してきた。
【０００４】
携帯端末機は、ユーザの要求に応じて、音楽鑑賞、ビデオ鑑賞、及び写真撮影などの多様な機能とともに無線通信を行うため、少なくとも１つの機能を操作できる入力装置を含む。前記入力装置は、ユーザがオプションをスクロールして選択できるように、ホイール構造又はレバー構造を有する。
【０００５】
前記入力装置は、ユーザが操作できるように、前記携帯端末機の外表面から突出する。前記入力装置は、衝突や衝撃の発生時にその衝突や衝撃により損傷し得る。その衝突や衝撃力が前記入力装置を介して内部部品に伝達された場合、前記携帯端末機はさらに損傷する。
【発明の開示】
【発明が解決しようとする課題】
【０００６】
本発明は、このような従来技術の問題を解決するためになされたもので、入力装置及び内部部品を保護するために、衝突や衝撃力を吸収できるバッファを備える携帯端末機を提供することを目的とする。
【課題を解決するための手段】
【０００７】
上記の目的を達成するために、本発明の一実施形態によるバッファを備える携帯端末機は、外表面を有する筐体と、少なくとも一部分が前記筐体の外表面から上方に突出する入力装置と、前記入力装置を外力から保護するバッファとを含む。
【０００８】
本発明の他の態様によれば、前記バッファは、内部に孔を有する胴部と、前記胴部の一側から延び、前記バッファを前記携帯端末機のプリント基板に連結するための固定孔を内部に有する少なくとも１つの連結アームと、前記携帯端末機の入力装置の一部分に接触するように構成される加圧部とを含む。前記バッファは、前記携帯端末機の筐体の外表面から上方に突出する１対の突出部をさらに含む。前記突出部の前記外表面から上方に突出する長さは、前記入力装置の前記外表面から上方に突出する長さよりも長い。前記１対の突出部は前記入力装置の各端部にそれぞれ位置する。
【０００９】
本発明のさらに他の態様によれば、前記バッファは、内部に孔を有する胴部と、前記胴部の一側から延び、前記バッファを前記携帯端末機の筐体に形成されたカバーに連結するための固定孔を内部に有する少なくとも１つの連結アームと、前記携帯端末機の入力装置の一部分に接触するように構成される加圧部とを含む。前記バッファの付加的な特徴は前述した特徴と類似している。
【００１０】
本発明のさらに他の態様によれば、前記バッファは、内部に孔を有して前記携帯端末機の蓋体の役割を果たす胴部と、前記胴部から突出する１対の突出部とを含む。前記バッファの付加的な特徴は前述した特徴と類似している。
【００１１】
上記課題を解決するために、本発明はさらに以下の項目を提供する。
（項目１）
外表面を有する筐体と、
少なくとも一部分が上記筐体の外表面から上方に突出する入力装置と、
上記入力装置を外力から保護するバッファと
を含むことを特徴とするバッファを備える携帯端末機。
（項目２）
上記バッファは、
内部に孔を有する胴部と、
上記胴部の一側から延び、上記バッファを上記携帯端末機のプリント基板に連結するための固定孔を内部に有する少なくとも１つの連結アームと、
上記携帯端末機の入力装置の一部分に接触するように構成される加圧部と
を含むことを特徴とする項目１に記載のバッファを備える携帯端末機。
（項目３）
上記バッファが、上記携帯端末機の筐体の外表面から上方に突出する１対の突出部をさらに含むことを特徴とする項目２に記載のバッファを備える携帯端末機。
（項目４）
上記突出部の上記外表面から上方に突出する長さは、上記入力装置の上記外表面から上方に突出する長さよりも長いことを特徴とする項目３に記載のバッファを備える携帯端末機。
（項目５）
上記１対の突出部が、上記入力装置の各端部にそれぞれ位置することを特徴とする項目４に記載のバッファを備える携帯端末機。
（項目６）
上記バッファは、
内部に孔を有する胴部と、
上記胴部の一側から延び、上記バッファを上記携帯端末機の筐体に形成されたカバーに連結するための固定孔を内部に有する少なくとも１つの連結アームと、
上記携帯端末機の入力装置の一部分に接触するように構成される加圧部と
を含むことを特徴とする項目１に記載のバッファを備える携帯端末機。
（項目７）
上記バッファが、上記携帯端末機の筐体の外表面から上方に突出する１対の突出部をさらに含むことを特徴とする項目６に記載のバッファを備える携帯端末機。
（項目８）
上記突出部の上記外表面から上方に突出する長さは、上記入力装置の上記外表面から上方に突出する長さよりも長いことを特徴とする項目７に記載のバッファを備える携帯端末機。
（項目９）
上記１対の突出部が、上記入力装置の各端部にそれぞれ位置することを特徴とする項目８に記載のバッファを備える携帯端末機。
（項目１０）
上記バッファは、
内部に孔を有して上記携帯端末機の蓋体の役割を果たす胴部と、
上記胴部から突出する１対の突出部と
を含むことを特徴とする項目２に記載のバッファを備える携帯端末機。
（項目１１）
上記突出部の上記外表面から上方に突出する長さは、上記入力装置の上記外表面から上方に突出する長さよりも長いことを特徴とする項目１０に記載のバッファを備える携帯端末機。
（項目１２）
上記１対の突出部が、上記入力装置の各端部にそれぞれ位置することを特徴とする項目１１に記載のバッファを備える携帯端末機。
（項目１３）
上記入力装置の下に位置する複数のスイッチをさらに含み、上記バッファが上記複数のスイッチを外力から保護することを特徴とする項目１に記載のバッファを備える携帯端末機。
【発明の効果】
【００１２】
本発明によるバッファを備える携帯端末機は、衝突や衝撃力のように好ましくない接触から入力装置を保護するバッファを備えることにより、前記バッファがその衝突や衝撃力を前記携帯端末機の他の構造に伝達するため、スイッチなどが保護されるという効果がある。
【発明を実施するための最良の形態】
【００１３】
以下、本発明によるバッファを備える携帯端末機の実施形態について添付図面を参照して詳細に説明する。以下の実施形態ではスライド型携帯端末機を例に挙げて説明するが、本発明はストレート型、折り畳み型、及び２軸回転型携帯端末機にも同様に適用することができる。
【００１４】
図１に示すように、携帯端末機は、第１筐体２０と、第１筐体２０上にスライド可能に位置する第２筐体１０とを含む。
【００１５】
第１筐体２０にはキーパッド２１が設置され、キーパッド２１は、第２筐体１０が開く方向にスライドされるときに露出する。キーパッド２１は、前記携帯端末機により使用可能な文字及びその他のコマンドを入力可能にする。
【００１６】
第２筐体１０は、前記携帯端末機の少なくとも１つの機能に関連する情報を表示するためのディスプレイモジュール１１を含む。第２筐体１０は、キーパッド２１により提供される信号を制御するための入力装置１２をさらに含む。図１に示すように、入力装置１２は第２筐体１０の外表面より突出しており、不適切な加圧、衝突、衝撃などの外力により損傷しやすい。
【００１７】
従って、図２に示すように、入力装置１２を不適切な加圧、衝突、衝撃などの外力から保護するために、衝撃防止装置又はバッファ１００が備えられる。バッファ１００は、入力装置１２と第２筐体１０との間に位置する。
【００１８】
第２筐体１０は、上部筐体１０ａと下部筐体１０ｂとを含む。上部筐体１０ａには、ディスプレイモジュール１１のディスプレイウィンドウ１１ａが形成され、下部筐体１０ｂには、ディスプレイモジュール１１のディスプレイ１１ｂが形成される。下部筐体１０ｂには、プリント基板１４がさらに形成される。プリント基板１４上には複数のドームスイッチ１４ａが形成され、ドームスイッチ１４ａは、入力装置１２の下側に位置して入力装置１２の押圧時にアクティブになる。また、プリント基板１４には、プリント基板１４を介してバッファ１００を下部筐体１０ｂに連結できるように、複数の装着孔１５が形成される。
【００１９】
前述したように、入力装置１２は、複数のドームスイッチ１４ａの上側に位置し、上部筐体１０ａに形成された装着孔１３から外部に突出する。入力装置１２は、ユーザがメニューオプションをスクロールするか、又はディスプレイ１１ｂ上のカーソルを動作させるためのローラ部材１２ｂを含み、ローラ部材１２ｂは、その下側に形成された複数のドームスイッチ１４ａのいずれか１つに接続されるように位置する。また、入力装置１２は、複数のボタン１２ａをさらに含み、複数のボタン１２ａは、その下側に形成された複数のドームスイッチ１４ａに接続されるように位置する。
【００２０】
図２Ｂに示すように、バッファ１００は、入力装置１２を内部に収容できるように構成された貫通孔１１２を有する胴部１１０を含む。より具体的には、入力装置１２のローラ部材１２ｂ及びボタン１２ａは、貫通孔１１２から部分的に又は全体的に外部に突出する。また、バッファ１００に形成された１対の加圧部１１３は、入力装置１２に重なるように配列される。
【００２１】
バッファ１００は、胴部１１０から延びる１対の連結アーム１１１をさらに含む。図には２つの連結アーム１１１を示すが、前記連結アームは１つ又は２つ以上であってもよい。また、バッファ１００は、複数の装着孔１５に対応するように形成される複数の固定孔１１１ａをさらに含む。
【００２２】
胴部１１０上には１対の突出部１２０が形成されるが、バッファ１００が第２筐体１０内で入力装置１２に結合されたときに装着孔１３から外部に突出するように、胴部１１０から上方に延びる。
【００２３】
図２Ｃに示すように、それぞれのボタン１２ａは、ドームスイッチ１４ａに結合される平板部と、ローラ部材１２ｂの端部を支持するための支持部１２ｃとを含む。入力装置１２は、延長部１２ｅをさらに含み、延長部１２ｅは、バッファ１００の下に位置してバッファ１００に接触する。また、入力装置１２は、支持のためのベース１２ｄをさらに含み、ベース１２ｄは、バッファ１００の加圧部１１３を支持する。
【００２４】
図２Ａ、図３、及び図４に示すように、バッファ１００は、入力装置１２がバッファ１００とプリント基板１４との間に位置するように、プリント基板１４に装着される。特に、図４に示すように、突出部１２０と入力装置１２は、第２筐体１０の外表面から上方に突出する。ここで、突出部１２０が入力装置１２よりも距離ｈだけさらに突出する。その結果、突出部１２０は、外部の衝撃を吸収して、その衝撃力が入力装置１２に伝達されないようにする。
【００２５】
例えば、前記携帯端末機の入力装置１２の露出した面が地面にぶつかった場合、突出部１２０は、前記地面と入力装置１２間に距離ｈに対応する空隙を提供する。これにより、衝撃力が入力装置１２に直接伝達されなくなり、その衝撃力が入力装置１２の下側に配列されたドームスイッチ１４ａに伝達されなくなる。その衝撃力は連結アーム１１１と加圧部１１３に伝達される。
【００２６】
連結アーム１１１と加圧部１１３に連動して突出部１２０が衝撃力を分散させる状態では、バッファ１００は正常に動作する入力装置１２には干渉しない。すなわち、ユーザが指で入力装置１２を押せば、入力装置１２はスイッチ１４に向かって移動する。
【００２７】
本発明の第２実施形態によれば、図５に示すように、バッファ１００は、プリント基板１４に対向するように、第２筐体１０のカバー１２５に装着される。カバー１２５は、入力装置１２を通過させて外部に突出させるための貫通孔１３０を含む。バッファ１００が前記プリント基板に直接装着されないため、入力装置１２はバッファ１００の下により安定して装着される。その他の観点でバッファ１００は前述した実施形態と同様であるので、その説明を省略する。
【００２８】
本発明の第３実施形態によれば、図６に示すように、バッファ１００は、胴部１１０が前記カバーを構成できるように形成される。その他の観点でバッファ１００は前述した実施形態と同様であるので、その説明を省略する。
【００２９】
以上、本発明は、図面に示す実施形態を参照して説明したが、これは例示にすぎず、本発明の属する技術の分野における通常の知識を有する者であれば、これから多様な変形及び他の実施形態が可能であることは自明である。従って、本発明の権利範囲は、添付した特許請求の範囲の技術的思想により決定されるべきである。
【００３０】
入力装置及び内部部品を保護するために、衝突や衝撃力を吸収できるバッファを備える携帯端末機を提供する。
【００３１】
バッファを備える携帯端末機は、外表面を有する筐体と、少なくとも一部分が前記筐体の外表面から上方に突出する入力装置と、前記入力装置を外力から保護するバッファとを含み、前記バッファは、前記携帯端末機内でプリント基板に連結されるか、前記携帯端末機のカバーに連結されるか、又は前記携帯端末機のカバーを構成するように形成される。
【００３２】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００３３】
【図１】本発明による携帯端末機の斜視図である。
【図２Ａ】図１の携帯端末機の分解斜視図である。
【図２Ｂ】図２Ａのバッファを示す斜視図である。
【図２Ｃ】図２Ａの入力装置を示す斜視図である。
【図３】図１の携帯端末機内に設置されたバッファを示す図である。
【図４】図１の携帯端末機の側面図である。
【図５】図１の携帯端末機内に設置されたバッファの第２実施形態を示す図である。
【図６】本発明の第３実施形態によるバッファを示す図である。
【図１】
2008131634.tif 000003
【図２Ａ】
2008131634.tif 000004
【図２Ｂ】
2008131634.tif 000005
【図２Ｃ】
2008131634.tif 000006
【図３】
2008131634.tif 000007
【図４】
2008131634.tif 000008
【図５】
2008131634.tif 000009
【図６】
2008131634.tif 000010